(57)【要約】【課題】紫外線光源が目立つことがなく、且つ耐久性も良好である便器上面部材を提供する。【解決手段】便座２及び便蓋３の下面にはそれぞれゴム等よりなる裏脚４，５が取り付けられている。各裏脚４，５のうち便鉢９の内方側の端部に紫外線光源としての紫外線ＬＥＤ６，７が設けられている。便蓋３の下面の大部分には、紫外線を反射する反射層８が設けられている。便座２を倒伏させるとＬＥＤ６が点灯し、該ＬＥＤ６からの紫外線が便鉢９内に照射される。一部の紫外線は便座２の下面やリム９ａの上面にも照射される。便蓋３を倒伏させると、ＬＥＤ７も点灯し、該ＬＥＤ７からの紫外線が便鉢９内に照射され、一部の紫外線は便座２の上面にも照射される。【選択図】図１
2007007160.tif 000002
【特許請求の範囲】
【請求項１】
下面に裏脚を有する便器上面部材において、
該裏脚に紫外線光源を設けたことを特徴とする便器上面部材。
【請求項２】
請求項１において、前記紫外線光源は、少なくとも便器の便鉢の内方に向って紫外線を照射するように設けられていることを特徴とする便器上面部材。
【請求項３】
請求項２において、前記紫外線光源は、前記裏脚のうち便鉢の内方側の端部に設けられていることを特徴とする便器上面部材。
【請求項４】
請求項３において、前記便器上面部材は便座であり、
該便座の前記裏脚は、該便座が便器の上に倒伏したときに、該裏脚の便鉢内方側の端部が便器のリムの内縁近傍に位置するように設けられていることを特徴とする便器上面部材。
【請求項５】
請求項３において、前記便器上面部材は便蓋であり、
該便蓋の前記裏脚は、該便蓋及び便座が便器の上に倒伏したときに、該便蓋の裏脚の便鉢内方側の端部が便座の内縁近傍に位置するように設けられていることを特徴とする便器上面部材。
【請求項６】
請求項１ないし５のいずれか１項において、該便蓋の下面に紫外線反射層が設けられていることを特徴とする便器上面部材。
【発明の詳細な説明】
【技術分野】
【０００１】
本発明は、便座又は便蓋などの便器上面部材に関するものであり、特に紫外線光源を有する便器上面部材に関する。
【背景技術】
【０００２】
Ｉ．便器に設けられた便座及び便蓋の下面には、ゴム等の緩衝材料よりなる裏脚が設けられている。第３図は便蓋の裏面を示すように便蓋を起立させた洋風便器設備の一例を示す斜視図である。
【０００３】
洋風便器１０の後部上面にロータンク１１が設置され、このロータンク１１の前面側に便座ボックス１２が設置されている。ロータンク１１及び便座ボックス１２内の温水タンクには止水栓１３から給水管を介して水道水が供給可能とされている。
【０００４】
便座ボックス１２には、洗浄ノズル１５，１６及び温風乾燥ファン（図示略）等が設けられている。また、この便座ボックス１２には、暖房便座１７、便蓋１８が上下方向に回動可能に取り付けられている。
【０００５】
便座ボックス１２へは、トイレルーム壁面のコンセント１９ａに差し込まれた電源プラグ１９及び電源コード１９ｂを介して商用電源（交流１００Ｖ）が給電される。
【０００６】
便座１７及び便蓋１８の下面にはそれぞれ裏脚が設けられている。第３図では便蓋１８の裏脚２０のみが図示されている。
【０００７】
II．実開昭６０−１１７８００号、実開平１−８９０８８号、実開平１−１５９７９８号には便蓋の裏側に殺菌灯を設けることが記載されている。
【特許文献１】実開昭６０−１１７８００号公報
【特許文献２】実開平１−８９０８８号公報
【特許文献３】実開平１−１５９７９８号公報
【発明の開示】
【発明が解決しようとする課題】
【０００８】
上記実開昭６０−１１７８００号、実開平１−８９０８８号、実開平１−１５９７９８号は、殺菌灯が便蓋裏面から突出するように設けられており、美観に劣るだけでなく、人や物が当って殺菌灯が損壊し易い。
【０００９】
本発明は、紫外線光源が目立つことがなく、且つ耐久性も良好である便器上面部材を提供することを目的とする。
【課題を解決するための手段】
【００１０】
請求項１の便器上面部材は、下面に裏脚を有する便器上面部材において、該裏脚に紫外線光源を設けたことを特徴とするものである。
【００１１】
請求項２の便器上面部材は、請求項１において、前記紫外線光源は、少なくとも便器の便鉢の内方に向って紫外線を照射するように設けられていることを特徴とするものである。
【００１２】
請求項３の便器上面部材は、請求項２において、前記紫外線光源は、前記裏脚のうち便鉢の内方側の端部に設けられていることを特徴とするものである。
【００１３】
請求項４の便器上面部材は、請求項３において、前記便器上面部材は便座であり、該便座の前記裏脚は、該便座が便器の上に倒伏したときに、該裏脚の便鉢内方側の端部が便器のリムの内縁近傍に位置するように設けられていることを特徴とするものである。
【００１４】
請求項５の便器上面部材は、請求項３において、前記便器上面部材は便蓋であり、該便蓋の前記裏脚は、該便蓋及び便座が便器の上に倒伏したときに、該便蓋の裏脚の便鉢内方側の端部が便座の内縁近傍に位置するように設けられていることを特徴とするものである。
【００１５】
請求項６の便器上面部材は、請求項１ないし５のいずれか１項において、該便蓋の下面に紫外線反射層が設けられていることを特徴とするものである。
【発明の効果】
【００１６】
本発明の便器上面部材にあっては、紫外線光源が裏脚に設けられているので、紫外線光源が目立たず、また人や物が直に当ることを防止するよう構成することも可能である。
【００１７】
請求項２の便器上面部材にあっては、この紫外線光源からの紫外線の少なくとも一方が便鉢に向って照射されるので、便鉢の殺菌等を図ることができる。
【００１８】
請求項３のように紫外線光源を裏脚の便鉢内方側の端部に配置することにより、紫外線光源からの紫外線の多くを便鉢内に照射することが可能である。請求項４，５のようにすれば、便鉢内により多量の紫外線を照射することができる。
【００１９】
請求項６のように便蓋に紫外線反射層を設けることにより便鉢内への紫外線の照射を更に多くすることが可能である。
【発明を実施するための最良の形態】
【００２０】
以下、図面を参照して実施の形態について説明する。第１図（ａ）は実施の形態に係る便器上面部材を備えた便器設備を示す斜視図、第１図（ｂ）は同（ａ）のＢ−Ｂ線に沿う便座の断面図、第２図は便座及び便蓋を倒伏させた状態の第１図（ｂ）と同一箇所の断面図である。
【００２１】
この実施の形態では、ロータンクカバー１に便座２及び便蓋３がそれぞれ中空筒状の支軸を介して上下方向回動可能に取り付けられている。
【００２２】
便座２は暖房便座であり、その内部には暖房ヒータ（図示略）が設けられている。このヒータと、後述の紫外線光源としてのＬＥＤへの通電用のリード線は、便座２の支軸（図示略）内を通って、ロータンクカバー１内に引き込まれている。便蓋３に設けられたＬＥＤへの通電用のリード線は、便蓋３の支軸内を通ってロータンクカバー１内に引き込まれている。
【００２３】
便座２及び便蓋３の下面にはそれぞれゴム、軟質合成樹脂等の弾性材料よりなる裏脚４，５が取り付けられている。各裏脚４，５のうち便鉢９の内方側の端部に紫外線光源としての紫外線ＬＥＤ６，７が設けられている。この実施の形態では、裏脚４，５の便鉢９の内方側の側面に凹穴が設けられ、ＬＥＤ６，７は各凹穴内にそれぞれ引っ込むように設けられている。
【００２４】
ＬＥＤ６に接続されたリード線６ａは、便座２内に引き込まれ、前記の通り便座の支軸を通ってロータンクカバー１内に引き込まれている。
【００２５】
便蓋３のＬＥＤ７に接続されたリード線（図示略）は、便蓋３の下面に沿って引き回され、便蓋の支軸を通ってロータンクカバー１内に引き込まれている。便蓋３の下面に沿うリード線は、保護テープで覆われてもよい。
【００２６】
このリード線は便蓋３と一体となるようにインサート成形されてもよい。
【００２７】
ロータンクカバー１内には、ＬＥＤ６，７への通電制御回路が設けられており、便座２が倒伏したときにはＬＥＤ６が点灯し、便蓋３が倒伏したときにはＬＥＤ７も点灯するように制御される。
【００２８】
便蓋３の下面の大部分には、紫外線を反射する反射層８が設けられている。この反射層８としては、アルミ等の金属層が好適である。この反射層８は例えば、メタライズ処理や、蒸着、箔の貼着などの手法により形成することができるが、この形成方法はこれに限定するものではない。
【００２９】
第２図に示す通り、便座２をリム９ａ上に倒伏させた状態にあっては、裏脚４の内方側の端部はリム９ｃの内方側端部の近傍（例えばリム９ａの上面の内縁から１０ｍｍ以内特に５ｍｍ以内）に位置している。
【００３０】
便蓋３及び便座２をリム９ａ上に倒伏させた状態にあっては、便蓋３の裏脚５の内方側の端部は、便座２の内方側の端部の近傍（例えば便座２の内縁から１０ｍｍ以内特に５ｍｍ以内）に位置している。
【００３１】
このように構成された便器上面部材及び便器設備にあっては、便座２を倒伏させるとＬＥＤ６が点灯し、該ＬＥＤ６からの紫外線が便鉢９内に照射される。一部の紫外線は便座２の下面やリム９ａの上面等にも照射される。
【００３２】
便蓋３を倒伏させると、ＬＥＤ７も点灯し、該ＬＥＤ７からの紫外線が便鉢９内に照射され、一部の紫外線は便座２の上面等にも照射される。
【００３３】
なお、ＬＥＤ６，７からの紫外線の一部は便蓋３の下面にも照射されるが、該下面に入射した紫外線は反射層８で反射され、便鉢９内等に照射される。
【００３４】
この実施の形態では、ＬＥＤ６がリム９ａの内縁直近に位置し、ＬＥＤ７が便座２の内縁直近に位置するため、ＬＥＤ６，７からの紫外線の多くが便鉢９内に照射される。この紫外線照射により殺菌や防汚効果が奏される。なお、便鉢９の内面やリム９ａの上面及び内側の側面、便座２の外面、便蓋３の下面に酸化チタン等の光触媒を保持させておき、光触媒作用によって防汚効果を高めるようにしてもよい。
【００３５】
この実施の形態では裏脚４，５に設けた凹穴内に引っ込むようにＬＥＤ６，７を設けているので、ＬＥＤが目立たず、美観が良好である。また、ＬＥＤ６，７に直に人や物が当ることが無く、ＬＥＤの損壊も防止される。なお、上記の凹穴内に透明な樹脂を充填し、ＬＥＤ６，７を埋設してもよい。また、裏脚４のうち少なくともＬＥＤ近傍部位を透明材料にて構成し、この透明部分にＬＥＤを埋設してもよい。
【００３６】
上記実施の形態では便座２及び便蓋３はロータンクカバー１に取り付けられているが、前記第３図のように便座ボックス１２に取り付けられてもよい。
【００３７】
本発明では、便器上面部材は便座の高さを高くするための補高部材であってもよい。
【００３８】
本発明では、裏足内に圧電素子を設置し、着座時及び離座時の荷重の負荷及び除荷によって起電力を発生させ、この起電力でＬＥＤを点灯させてもよい。
【図面の簡単な説明】
【００３９】
【図１】（ａ）図は実施の形態に係る便器上面部材を備えた便器設備を示す斜視図、（ｂ）図は（ａ）図のＢ−Ｂ線に沿う便座の断面図である。
【図２】便座及び便蓋を倒伏させた状態の第１図（ｂ）と同一箇所の断面図である。
【図３】便蓋の裏面を示すように便蓋を起立させた洋風便器設備の斜視図である。
【符号の説明】
【００４０】
１  ロータンクカバー
２  便座
３  便蓋
４，５  裏脚
６，７  ＬＥＤ
６ａ  リード線
８  反射層
９  便鉢
【図１】
2007007160.tif 000003
【図２】
2007007160.tif 000004
【図３】
2007007160.tif 000005